(57)【要約】      （修正有）【課題】粘着剤のセパレータを容易に剥がすことができ、封印作業を容易にするとともに時間も短縮し得る封筒を提供する。【解決手段】収納対象物を収納する本体部と、折り曲げられて本体部の空間を閉じるフラップ５とを備える封筒であって、フラップ５には、粘着剤７と粘着剤７を覆うセパレータ９が設けられ、粘着剤７及びセパレータ９に重畳するように、フラップ５の縁部から所定の長さをもって切り込み線１１が形成されている。【選択図】図２
0003224719.tif 000002
【実用新案登録請求の範囲】
【請求項１】
収納対象物を収納する本体部と、折り曲げられて当該本体部の空間を閉じるフラップとを備える封筒であって、
前記フラップには、粘着剤と当該粘着剤を覆うセパレータが設けられ、
前記粘着剤及び前記セパレータに重畳するように、前記フラップの縁部から所定の長さをもって切り込み線が形成されている、封筒。
【請求項２】
請求項１に記載の封筒であって、
前記縁部における前記切り込み線との交わり箇所において、前記縁部を含む前記フラップの一部が切り取られて形成された切り欠きが設けられている、封筒。
【請求項３】
請求項１または２に記載の封筒であって、
前記切り込み線の前記縁部とは逆側に位置する終端に接するように、折り曲げ用の折り線が形成されている、封筒。
【請求項４】
請求項３に記載の封筒であって、
前記折り線が前記切り込み線の延長方向に対して斜め方向に形成される、封筒。
【請求項５】
請求項１から４のいずれか１項に記載の封筒であって、
前記フラップの二つの縁部の各々に前記切り込み線が形成されている、封筒。
【考案の詳細な説明】
【技術分野】
【０００１】
本考案は、封印作業が容易な封筒に関する。
【背景技術】
【０００２】
従来より、手紙等の書類を封入する封筒として種々のタイプのものが提案されている。封印作業を容易にするため、予め封筒を封印するフラップの部分に、糊等の粘着剤とそれを覆うセパレータが設けられ、セパレータを剥がして封印するものが存在する。
【０００３】
特許文献１は、フラップの内側に粘着剤を塗布し、開封防止シールを表側から貼付した封筒を提案している。この封筒には、内側の粘着剤塗布部と開封防止シールを粘着した部分の面積より大きめのセパレータ紙を貼付して粘着部全体を１枚のセパレータ紙で保護している。使用する場合はこの１枚のセパレータ紙を剥がすことにより、封印と開封防止シール貼付を同時に完了することができる。
【先行技術文献】
【特許文献】
【０００４】
【特許文献１】特開２０１５−１５１１９３号公報
【考案の概要】
【考案が解決しようとする課題】
【０００５】
特許文献１は、封印作業及び開封防止シールの貼付作業を容易にし得るものではあるが、あくまで開封防止シールを用いる封筒を対象とした考案である。実際に大量の封筒を封印する際には、セパレータを剥がす工程が面倒な工程であり、作業時間を長くする要因となっている。
【０００６】
本考案は、粘着剤のセパレータを容易に剥がすことができ、封印作業を容易にするとともに時間も短縮し得る封筒に関する。
【課題を解決するための手段】
【０００７】
本考案の一態様は、収納対象物を収納する本体部と、折り曲げられて当該本体部の空間を閉じるフラップとを備える封筒であって、前記フラップには、粘着剤と当該粘着剤を覆うセパレータが設けられ、前記粘着剤及び前記セパレータに重畳するように、前記フラップの縁部から所定の長さをもって切り込み線が形成されている。
【０００８】
本考案の一態様は、例えば、前記縁部における前記切り込み線との交わり箇所において、前記縁部を含む前記フラップの一部が切り取られて形成された切り欠きが設けられている。
【０００９】
本考案の一態様は、例えば、前記切り込み線の前記縁部とは逆側に位置する終端に接するように、折り曲げ用の折り線が形成されている。
【００１０】
本考案の一態様は、例えば、前記折り線が前記切り込み線の延長方向に対して斜め方向に形成される。
【００１１】
本考案の一態様は、例えば、前記フラップの二つの縁部の各々に前記切り込み線が形成されている。
【考案の効果】
【００１２】
本考案の封筒によれば、封印作業において、切り込み線を判断しながらセパレータを容易に粘着剤から持ち上げ、粘着剤から容易に剥がすことができるため、封印作業を容易なものとすることができる。
【図面の簡単な説明】
【００１３】
【図１】図１は、本考案の第１の実施形態に係る封印前の封筒の正面図。
【図２】図２は、第１の実施形態に係る封筒の要部の拡大図。
【図３】図３は、第１の実施形態に係る封印後の封筒の正面図。
【図４】図４は、本考案の第２の実施形態に係る封印前の封筒の正面図。
【図５】図５は、第２の実施形態に係る封筒の要部の拡大図。
【図６】図６は、第２の実施形態に係る封印後の封筒の正面図。
【考案を実施するための形態】
【００１４】
本考案に関する具体的な実施形態について、各図を参照しながら以下に説明する。
【００１５】
図１は、本考案の第１の実施形態に係る封筒１を示す。本考案の封筒１は、本体部３と、フラップ５と、粘着剤７と、セパレータ９と、を備えている。本図においては、封筒１のフラップ５が折り込まれる側の面を示しており（図３参照）、図１で示した面と逆側の面には宛先等が記載される。
【００１６】
本体部３は手紙等の書類やその他の収納対象物を収納する空間を有し、作業者や機械によって収納対象物が空間に挿入される。フラップ５は本体部３の１辺から突出し、折り曲げられることにより、収納対象物が収納された本体部３の空間の口を閉じて封筒１を封印する。封筒１の大きさ、形状等は特に限定されない。
【００１７】
粘着剤７は、一般的にフラップ５の本体部３から離れた領域に帯状に形成され、フラップ５と本体部３を接着することができる物質である。フラップ５と本体部３が一般的な紙によって構成される場合、粘着剤７は紙を接着可能な糊等により形成されるが、その種類は特に限定されない。セパレータ９は離型紙とも呼ばれ、封筒1の封印作業が行われるまで粘着剤７を覆い、保護する役割を果たす。セパレータ９の素材、大きさ等も特に限定されない。
【００１８】
作業者がセパレータ９を剥がし、フラップ５を本体部３の側に折り曲げることにより、フラップ５が粘着剤７を介して本体部３と一体化し、封筒１の封印作業が完了する。
【００１９】
封印作業においてはセパレータ９を粘着剤７、フラップ５から剥がす必要があるが、具体的には作業者が指先（爪）をセパレータ９の端部の下側に入れてセパレータ９を上に持ち上げる。セパレータ９の貼付の状態、作業者の熟練度等によっては、この剥がし工程が手間取って時間がかかることもあり、封筒１の数が多いほど作業時間が長くなり、その煩雑さは無視することができないものとなる。
【００２０】
図２は、封筒１の要部である図１のＡ領域の拡大図を示す。本実施形態の封筒１においては、フラップ５の縁部から切り込み線１１が形成されている。特に切り込み線１１は、粘着剤７及びセパレータ９に重畳するように、フラップ５の縁部から所定の長さをもって形成されている。
【００２１】
セパレータ９の剥がし工程において、作業者は例えば右手で図２のＰ領域を把持し、左手でＱ領域を把持する。作業者がＱ領域を手前に引くことにより（奥側に引いてもよい）、切り込み線１１が破断し、破断がセパレータ９に到達後も作業を続けると、セパレータ９を容易に粘着剤７から持ち上げ、粘着剤７から容易に剥がすことができる。これにより、封印作業を容易になるとともに時間も短縮され、封印作業の効率を向上させることができる。作業者は、切り込み線１１の破断とともにセパレータ９を切り込み線１１に沿って破断してもよい。
【００２２】
切り込み線１１は、粘着剤７及びセパレータ９の幅（図２の左右方向）の範囲内において形成されており、粘着剤７及びセパレータ９に重畳するように形成される。切り込み線１１は、粘着剤７及びセパレータ９の幅方向の中央位置に形成されるのが好ましいが、粘着剤７及びセパレータ９の幅の範囲内に位置する限り、特に位置は限定されない。また、切り込み線１１の長さは例えば２ｃｍ程度に設定されるが、長さも特に限定はされない。
【００２３】
さらに本実施形態の封筒１１においては、フラップ５の縁部における切り込み線１１との交わり箇所において、縁部を含むフラップ５の一部が切り取られて形成された切り欠き１３が設けられている。切り欠き１３が存在することにより、作業者は切り込み線１１を容易に発見し易くなるとともに、切り込み線１の破断を容易に開始することができる。本実施形態において切り欠き１３は平面視で三角形の形状を呈し、縁部から離れた１つの頂点始点として切り込み線１１が形成されている。切り欠き１３の形状も特に限定はされない。
【００２４】
尚、実施形態の封筒１においては、図１に示すように、フラップ５の対向する二つの縁部の各々に切り込み線１１が形成されている。作業者は二つの切り込み線１１のいずれかからセパレータ９を剥がすことができ、作業者の利き手、好みに合わせて左右の手を入れ替えて作業することができる。尚、本実施形態における切り込み線１１は、ミシン目の如き破線により形成されているが、直線、ジグザク線、曲線等であってもよく、容易に破断可能なものならば特にその形状は限定されない。
【００２５】
セパレータ９を剥がした後、作業者がフラップ５を本体部３の側に折ることにより、図３に示すように封筒１は封印される。封印作業時に切り込み線１１が破断されても、封筒１の取扱いに特に支障はない。
【００２６】
図４は、本考案の第２の実施形態に係る封筒１を示し、図５は、封筒１の要部である図４のＢ領域の拡大図を示す。本考案の封筒１は、第１の実施形態の封筒の構成に加えて、折り線１５、ジッパー２０を備えている。
【００２７】
折り線１５は、切り込み線１１のフラップ５の縁部とは逆側に位置する終端Ｒに接するように形成されている。
【００２８】
特に本実施形態においては、折り線１５は切り込み線１１の延長方向に対して斜め方向に形成される。セパレータ９の剥がし工程において、作業者は例えば右手で図５のＰ領域を把持し、左手でＱ領域を把持する。折り線１５が存在することにより、作業者は容易にＱ領域を手前に引く（奥側に引いてもよい）ことができるようになり、セパレータ９の剥離が容易となって作業効率が向上する。
【００２９】
セパレータ９を剥がした後、作業者がフラップ５を本体部３の側に折ることにより、図６に示すように封筒１は封印される。封印作業時に切り込み線１１が破断されても、封筒１の取扱いに特に支障はない。ジッパー２０を引くことにより容易に開封をすることができる。尚、ジッパー２０は第１の実施形態の封筒にも適用可能である。
【００３０】
封筒１の製造は、原紙を型で打ち抜きし、本体部３の両側部分を折り込んだ後、粘着剤７、セパレータ９をフラップ５に設ける。原紙の打ち抜き時に切り込み線１１、切り欠き１３、折り線１５、ジッパー２０等を同時に形成することができるが、他の工程において形成してもよい。尚、セパレータ９の両面に予め粘着剤７が貼付されたロール状の両面テープを引き出して、フラップ５に貼付してもよい。
【００３１】
尚、本考案は、上述した実施形態に限定されるものではなく、適宜、変形、改良、等が可能である。その他、上述した実施形態における各構成要素の材質、形状、寸法、数値、形態、数、配置箇所、等は本考案を達成できるものであれば任意であり、限定されない。
【符号の説明】
【００３２】
１    封筒
３    本体部
５    フラップ
７    粘着剤
９    セパレータ（離型紙）
１１  切り込み線
１３  切り欠き
１５  折り線
２０  ジッパー
【図１】
0003224719.tif 000003
【図２】
0003224719.tif 000004
【図３】
0003224719.tif 000005
【図４】
0003224719.tif 000006
【図５】
0003224719.tif 000007
【図６】
0003224719.tif 000008